(57)【特許請求の範囲】
【請求項１】
インペラと、
該インペラを径方向外側で囲む周壁、前記インペラに対して回転中心軸線方向で対向する吸込み口、前記周壁の第１開口部に連通する第１吐出管、および前記周壁において前記第１開口部から前記インペラの第１回転方向で離間する位置で開口する第２開口部に連通する第２吐出管を備えたポンプケースと、
を有し、
前記周壁には、前記第１開口部の前記第１回転方向側で径方向内側に突出する第１凸部と、前記第２開口部の前記第１回転方向とは逆の第２回転方向側で径方向内側に突出する第２凸部と、が設けられ、
前記第１吐出管の軸線方向からみたとき、前記第１凸部の前記第２回転方向側の端部の少なくとも一部が前記第１吐出管の内周面の最も前記第１回転方向側に位置する部分より前記第２回転方向側に位置しており、
前記第２吐出管の軸線方向からみたとき、前記第２凸部の前記第１回転方向側の端部の少なくとも一部が前記第２吐出管の内周面の最も前記第２回転方向側に位置する部分より前記第１回転方向側に位置しており、
前記第１吐出管内および前記第２吐出管内はいずれも、断面円形であり、
前記第１吐出管の軸線方向からみたとき、前記第１凸部の前記第２回転方向側の端部は、前記第１吐出管の内周面と重なる円弧形状を有し、
前記第２吐出管の軸線方向からみたとき、前記第２凸部の前記第１回転方向側の端部は、前記第２吐出管の内周面と重なる円弧形状を有していることを特徴とするポンプ装置。
【請求項２】
インペラと、
該インペラを径方向外側で囲む周壁、前記インペラに対して回転中心軸線方向で対向する吸込み口、前記周壁の第１開口部に連通する第１吐出管、および前記周壁において前記第１開口部から前記インペラの第１回転方向で離間する位置で開口する第２開口部に連通する第２吐出管を備えたポンプケースと、
を有し、
前記周壁には、前記第１開口部の前記第１回転方向側で径方向内側に突出する第１凸部と、前記第２開口部の前記第１回転方向とは逆の第２回転方向側で径方向内側に突出する第２凸部と、が設けられ、
前記第１吐出管の軸線方向からみたとき、前記第１凸部の前記第２回転方向側の端部の少なくとも一部が前記第１吐出管の内周面の最も前記第１回転方向側に位置する部分より前記第２回転方向側に位置しており、且つ、前記第１凸部の前記第２回転方向側の端部の全体が、前記第１吐出管の内周面の前記第１回転方向側に位置する部分と重なる位置、または前記第１吐出管の内周面の前記第１回転方向側に位置する部分より前記第２回転方向側の位置にあり、
前記第２吐出管の軸線方向からみたとき、前記第２凸部の前記第１回転方向側の端部の少なくとも一部が前記第２吐出管の内周面の最も前記第２回転方向側に位置する部分より前記第１回転方向側に位置しており、且つ、前記第２凸部の前記第１回転方向側の端部の全体が、前記第２吐出管の内周面の前記第２回転方向側に位置する部分と重なる位置、または前記第２吐出管の内周面の前記第２回転方向側に位置する部分より前記第１回転方向側の位置にあり、
前記第１吐出管内および前記第２吐出管内はいずれも、断面円形であり、
前記第１吐出管の軸線方向からみたとき、前記第１凸部の前記第２回転方向側の端部は、直線状に延在し、
前記第２吐出管の軸線方向からみたとき、前記第２凸部の前記第１回転方向側の端部は、直線状に延在していることを特徴とするポンプ装置。
【請求項３】
前記第１吐出管および前記第２吐出管は、平行に並列しており、
前記第１凸部と前記第２凸部とは周方向で連続した凸部を構成していることを特徴とする請求項１または２に記載のポンプ装置。
【請求項４】
前記ポンプケースは、前記第１吐出管および前記第２吐出管が上向きとなるように配置されていることを特徴とする請求項１から３の何れか一項に記載のポンプ装置。
【発明の詳細な説明】
【技術分野】
【０００１】
本発明は、ポンプケースに複数の吐出管が設けられたポンプ装置に関するものである。
【背景技術】
【０００２】
ポンプ装置は、インペラと、インペラを径方向外側で囲む周壁を備えたポンプケースとを有しており、ポンプケースには、インペラに対して回転中心軸線方向で対向する吸込み口と、周壁で開口する吐出管とが設けられている。かかるポンプ装置において、周方向で離間した位置に２つの吐出管を設けることが提案されている。かかる構成によれば、インペラが第１回転方向に回転した際、２つの吐出管の一方の吐出管から流体を吐出することができ、インペラが第１回転方向とは逆の第２方向に回転した際、他方の吐出管から流体を吐出することができる。また、周壁において２つの吐出管によって挟まれた位置に凸部を設け、一方の吐出管から流体を吐出する際、他方の吐出管から流体が漏れるのを抑制する技術が提案されている（特許文献１参照）。
【０００３】
なお、特許文献１では、吐出管内は断面円形であり、吐出管の軸線方向からみたとき、凸部の端部は、吐出管の内周面に重ならないように直線状に延在している。
【先行技術文献】
【特許文献】
【０００４】
【特許文献１】特開平１０−４３１１９号公報
【発明の概要】
【発明が解決しようとする課題】
【０００５】
特許文献１に記載のポンプ装置では、周壁での吐出管の開口部（吐出管の内周面）が円形であるのに対して、かかる円に接するように凸部の端部が直線状に形成されているため、周壁において開口部と凸部とに挟まれた領域の面積が広い。このため、周壁において凸部に起因する段部で流体が滞留しやすいという問題点がある。かかる段部での滞留は、流体に含まれていた異物が段部に溜まる原因となるため、好ましくない。
【０００６】
以上の問題点に鑑みて、本発明の課題は、ポンプケースに設けた第１吐出管と第２吐出管との間に凸部を設けて、一方から流体を吐出する際に他方からの流体が漏れることを抑制した場合でも、凸部に起因する段部で流体が滞留することを抑制することのできるポンプ装置を提供することにある。
【課題を解決するための手段】
【０００７】
上記課題を解決するために、本発明では、インペラと、該インペラを径方向外側で囲む周壁、前記インペラに対して回転中心軸線方向で対向する吸込み口、前記周壁の第１開口部に連通する第１吐出管、および前記周壁において前記第１開口部から前記インペラの第１回転方向で離間する位置で開口する第２開口部に連通する第２吐出管を備えたポンプケースと、を有し、前記周壁には、前記第１開口部の前記第１回転方向側で径方向内側に突出する第１凸部と、前記第２開口部の前記第１回転方向とは逆の第２回転方向側で径方向内側に突出する第２凸部と、が設けられ、前記第１吐出管の軸線方向からみたとき、前記第１凸部の前記第２回転方向側の端部の少なくとも一部が前記第１吐出管の内周面の最も前記第１回転方向側に位置する部分より前記第２回転方向側に位置しており、前記第２吐出管の軸線方向からみたとき、前記第２凸部の前記第１回転方向側の端部の少なくとも一部が前記第２吐出管の内周面の最も前記第２回転方向側に位置する部分より前記第１回転方向側に位置しており、前記第１吐出管内および前記第２吐出管内はいずれも、断面円形であり、前記第１吐出管の軸線方向からみたとき、前記第１凸部の前記第２回転方向側の端部は、前記第１吐出管の内周面と重なる円弧形状を有し、前記第２吐出管の軸線方向からみたとき、前記第２凸部の前記第１回転方向側の端部は、前記第２吐出管の内周面と重なる円弧形状を有していることを特徴とする。
【０００８】
本発明では、ポンプケースの周壁には、第１吐出管が連通する第１開口部の第１回転方
向側で径方向内側に突出する第１凸部と、第２吐出管が連通する第２開口部の第１回転方向とは逆の第２回転方向側で径方向内側に突出する第２凸部とが設けられている。このため、インペラを第１回転方向に回転させて第１吐出管から流体を吐出する際、第２吐出管から流体が漏れにくく、インペラを第２回転方向に回転させて第２吐出管から流体を吐出する際、第１吐出管から流体が漏れにくい。また、第１吐出管の軸線方向からみたとき、第１凸部の第２回転方向側の端部の少なくとも一部が第１吐出管の内周面の最も第１回転方向側に位置する部分より第２回転方向側に位置するため、周壁において、第１凸部に起因する段部と第１開口部とに挟まれた領域が狭いか、あるいはかかる領域が存在しない。このため、インペラが第１回転方向に回転した際、第１凸部に起因する段部によって流体が滞留するという事態が発生しにくい。
【０００９】
また、本発明では、前記第２吐出管の軸線方向からみたとき、前記第２凸部の前記第１回転方向側の端部の少なくとも一部が前記第２吐出管の内周面の最も前記第２回転方向側に位置する部分より前記第１回転方向側に位置する。かかる構成によれば、周壁において、第２凸部に起因する段部と第２開口部とに挟まれた領域が狭いか、あるいはかかる領域が存在しない。このため、インペラが第２回転方向に回転した際、第２凸部に起因する段部によって流体が滞留するという事態が発生しにくい。
【００１０】
さらに、本発明では、前記第１吐出管の軸線方向からみたとき、前記第１凸部の前記第２回転方向側の端部は、前記第１吐出管の内周面と重なる円弧形状を有し、前記第２吐出管の軸線方向からみたとき、前記第２凸部の前記第１回転方向側の端部は、前記第２吐出管の内周面と重なる円弧形状を有している。
【００１１】
また、上記課題を解決するために、本発明では、インペラと、該インペラを径方向外側で囲む周壁、前記インペラに対して回転中心軸線方向で対向する吸込み口、前記周壁の第１開口部に連通する第１吐出管、および前記周壁において前記第１開口部から前記インペラの第１回転方向で離間する位置で開口する第２開口部に連通する第２吐出管を備えたポンプケースと、を有し、前記周壁には、前記第１開口部の前記第１回転方向側で径方向内側に突出する第１凸部と、前記第２開口部の前記第１回転方向とは逆の第２回転方向側で径方向内側に突出する第２凸部と、が設けられ、前記第１吐出管の軸線方向からみたとき、前記第１凸部の前記第２回転方向側の端部の少なくとも一部が前記第１吐出管の内周面の最も前記第１回転方向側に位置する部分より前記第２回転方向側に位置しており、且つ、前記第１凸部の前記第２回転方向側の端部の全体が、前記第１吐出管の内周面の前記第１回転方向側に位置する部分と重なる位置、または前記第１吐出管の内周面の前記第１回転方向側に位置する部分より前記第２回転方向側の位置にあり、前記第２吐出管の軸線方向からみたとき、前記第２凸部の前記第１回転方向側の端部の少なくとも一部が前記第２吐出管の内周面の最も前記第２回転方向側に位置する部分より前記第１回転方向側に位置しており、且つ、前記第２凸部の前記第１回転方向側の端部の全体が、前記第２吐出管の内周面の前記第２回転方向側に位置する部分と重なる位置、または前記第２吐出管の内周
面の前記第２回転方向側に位置する部分より前記第１回転方向側の位置にあり、前記第１吐出管内および前記第２吐出管内はいずれも、断面円形であり、前記第１吐出管の軸線方向からみたとき、前記第１凸部の前記第２回転方向側の端部は、直線状に延在し、前記第２吐出管の軸線方向からみたとき、前記第２凸部の前記第１回転方向側の端部は、直線状に延在している。かかる構成によれば、周壁には、第１凸部に起因する段部と第１開口部とに挟まれた領域が存在せず、第２凸部に起因する段部と第２開口部とに挟まれた領域が存在しない。このため、第１凸部に起因する段部や第２凸部に起因する段部によって流体が滞留するという事態が発生しにくい。
【００１４】
本発明において、前記第１吐出管および前記第２吐出管は平行に並列しており、前記第１凸部と前記第２凸部とは周方向で連続した凸部を構成していることが好ましい。かかる構成によれば、第１吐出管および第２吐出管に対する配管が容易である。また、第１吐出管および第２吐出管が平行に並列しているとともに、第１凸部と第２凸部とが周方向で連続した凸部になっているので、ポンプケースを金型成形する際、金型の構成を簡素化する
ことができる。
【００１５】
本発明において、前記ポンプケースは、前記第１吐出管および前記第２吐出管が上向きとなるように配置されていることが好ましい。かかる構成によれば、インペラを第１回転方向に回転させて第１吐出管から流体を吐出する際、重力の影響により第２吐出管から流体が漏れにくく、インペラを第２回転方向に回転させて第２吐出管から流体を吐出する際、重力の影響により第１吐出管から流体が漏れにくい。
【発明の効果】
【００１６】
本発明では、第１吐出管の軸線方向からみたとき、第１凸部の第２回転方向側の端部の少なくとも一部が第１吐出管の内周面の最も第１回転方向側に位置する部分より第２回転方向側に位置するため、周壁において、第１凸部に起因する段部と第１開口部とに挟まれた領域が存在しない。このため、インペラが第１回転方向に回転した際、第１凸部に起因する段部によって流体が滞留するという事態が発生しにくい。また、第２吐出管の側でも、第１吐出管と同様な構成になっており、周壁には、第２凸部に起因する段部と第２開口部とに挟まれた領域が存在しない。このため、インペラが第２回転方向に回転した際、第２凸部に起因する段部によって流体が滞留するという事態が発生しにくい。
【図面の簡単な説明】
【００１７】
【図１】本発明の実施の形態１に係るポンプ装置の外観を示す説明図である。
【図２】本発明の実施の形態１に係るポンプ装置の分解斜視図である。
【図３】本発明の実施の形態１に係るポンプ装置の断面図である。
【図４】本発明の実施の形態１に係るポンプ装置のポンプ部における第２ケースとインペラとの位置関係を示す説明図である。
【図５】本発明の実施の形態１に係るポンプ装置に用いた第２ケースの説明図である。
【図６】本発明の実施の形態２に係るポンプ装置に用いた第２ケースの説明図である。
【発明を実施するための形態】
【００１８】
以下、本発明を実施するための形態について、図面を参照しながら説明する。なお、以下の説明においては、モータ部２００の軸線（モータ軸線（インペラ６０の回転中心軸線））をＬ０とし、第１吐出管８の軸線をＬ１とし、第２吐出管９の軸線をＬ２として説明する。
【００１９】
［実施の形態１］
（ポンプ装置の全体構成）
図１は、本発明の実施の形態１に係るポンプ装置１の外観を示す説明図であり、図１（ａ）、（ｂ）は、吸込み口４０が設けられている側からポンプ装置１をみたときの斜視図、および吸込み口４０が設けられている側とは反対側からポンプ装置１をみたときの斜視図である。図２は、本発明の実施の形態１に係るポンプ装置１の分解斜視図である。図３は、本発明の実施の形態１に係るポンプ装置１の断面図である。図４は、本発明の実施の形態１に係るポンプ装置１のポンプ部１００における第２ケース４とインペラ６０との位置関係を示す説明図である。
【００２０】
図１、図２および図３に示すように、本形態のポンプ装置１は、ポンプ部１００と、ポンプ部１００を駆動するモータ部２００とを有している。ポンプ装置１は、ポンプケース２を有しており、ポンプケース２は、モータハウジング５とポンプハウジング６とを有している。モータハウジング５は、外周壁３ａを備える有底筒状の第１ケース３と、第１ケース３の開口部を覆う隔壁部材１０とを備えている。また、ポンプハウジング６は、第２ケース４と隔壁部材１０とによって構成されている。すなわち、隔壁部材１０は、モータハウジング５とポンプハウジング６とにおいて共有であり、隔壁部材１０を挟んで第１ケース３と第２ケース４とが結合されている。例えば、第１ケース３、第２ケース４および隔壁部材１０の結合は、周方向複数箇所に設けた爪等を用いたバヨネット方式で順次連結
し、ボルト（図示せず）などで回り止めされる。このほか、第１ケース３、第２ケース４および隔壁部材１０を複数のボルトとナット等で同時に結合してもよい。
【００２１】
隔壁部材１０はポンプハウジング６側に膨んだ膨出部１２を有している。膨出部１２は、後述する回転軸３２と同心状の円筒状の外周壁１３と、外周壁１３から内方へ向かう円盤部１４とを備えており、円盤部１４の中心部にボス部１５を保持している。ボス部１５では、ポンプハウジング６側に開口したシール保持部１６によってシール部材２０が保持されている。隔壁部材１０は、モータハウジング５内に延在する筒部１８を有しており、筒部１８の根元の拡径部１７でボス部１５に接続している。筒部１８は、ロータ３３の回転軸３２を通す貫通穴１９を有しており、貫通穴１９の両端には回転軸３２を支持する軸受２６、２７が保持されている。回転軸３２は、貫通穴１９からポンプハウジング６に向けて延在し、シール部材２０を貫通している。
【００２２】
筒部１８の外周には、ステータコア３１ａにインシュレータ３７ａ、３７ｂを介してコイル３１ｂを巻いたステータ３０が取り付けられている。ステータ３０には、インシュレータ３７ａの側に端子板３８が重ねて配置され、インシュレータ３７ｂの側にカバ−３９が重ねて配置されている。
【００２３】
筒部１８からモータハウジング５内に突出した回転軸３２の端部には、ステータ３０の外方に筒状胴部３５が位置するロータケース３４が結合されている。ロータケース３４の筒状胴部３５の内面には永久磁石３６が接着等により取り付けられ、永久磁石３６の内周面がステータ３０の外周面との間に所定の間隙をもつように設定されている。これらロータケース３４、永久磁石３６および回転軸３２によりロータ３３が形成されている。
【００２４】
回転軸３２の軸受２６からポンプハウジング６に向けて延在した端部には、樹脂製のインペラ６０が取り付けられている。インペラ６０は、断面ハット形状のベース壁６１の外面に複数枚の羽根６３を備えている。インペラ６０において、隔壁部材１０に対向する裏面側には、大径部６７の内側に結合筒部６５を備えている。回転軸３２の端部には、複数本の溝からなるローレットが形成されており、結合筒部６５を回転軸３２の端部に圧入することにより、インペラ６０が回転軸３２に直接結合される。これにより、インペラ６０は、モータ部２００側のみから保持された片持ち構造となる。インペラ６０と回転軸３２の結合は、ローレットのほか、スプラインやボルト結合等によっても可能である。
【００２５】
第２ケース４は、底壁４２と、底壁４２の外周端から軸線Ｌ０の延在方向に延在した胴部４１とを有している。胴部４１の内周面は円筒形状であり、開口端は隔壁部材１０の膨出部１２に対して嵌合している。第２ケース４と外周壁１３との嵌合面にはシールリング７が設けられている。
【００２６】
第２ケース４の底壁４２は隔壁部材１０から離間しており、この底壁４２には、回転軸３２（インペラ６０の回転中心軸線）と対向する位置に吸込み口４０が設けられている。また胴部４１には、周方向で離間する位置に第１吐出管８および第２吐出管９が設けられている。
【００２７】
図４に示すように、本形態のポンプ装置１においては、ポンプケース２のうち、第２ケース４の胴部４１は、インペラ６０を径方向外側で囲む円筒状の周壁４４を備えており、モータ部２００によってインペラ６０が第１回転方向ｃｗに回転すると、吸込み口４０から流入した流体が周壁４４に沿って第１回転方向ｃｗに移動し、第１吐出管８から吐出される。これに対して、モータ部２００によってインペラ６０が第１回転方向ｃｗとは逆の第２回転方向ｃｃｗに回転すると、吸込み口４０から流入した流体が周壁４４に沿って第２回転方向ｃｃｗに移動し、吸込み口４０から流入した流体が第２吐出管９から吐出され
る。
【００２８】
（第２ケース４の詳細構成）
図５は、本発明の実施の形態１に係るポンプ装置１に用いた第２ケース４の説明図であり、図５（ａ）、（ｂ）、（ｃ）、（ｄ）、（ｅ）は、第２ケース４を吸込み口４０とは反対側からみた背面図、第２ケース４を第１吐出管８の延在方向からみた平面図、第２ケース４を第１吐出管８側に傾けてみた斜視図、図５（ｂ）のＡ１−Ａ１′線で第２ケース４を切断したときの断面図、および図５（ａ）のＢ１−Ｂ１′線で第２ケース４を切断したときの断面図である。
【００２９】
図４および図５に示すように、本形態のポンプ装置１に用いた第２ケース４には、第１吐出管８および第２吐出管９が平行に並列して設けられており、第１吐出管８および第２吐出管９はいずれも重力方向の上方に向かって直線的に突出している。
【００３０】
第２ケース４では、周壁４４に形成された第１開口部４８に第１吐出管８が連通し、周壁４４において第１開口部４８から第１回転方向ｃｗで離間する位置で開口する第２開口部４９に第２吐出管９が連通している。本形態において、第１吐出管８および第２吐出管９は、外径および内径が等しい円筒状である。
【００３１】
また、周壁４４において、第１開口部４８の第１回転方向ｃｗ側には、径方向内側に突出する第１凸部４６が形成され、第２開口部４９の第２回転方向ｃｃｗ側には、径方向内側に突出する第２凸部４７が設けられている。本形態において、第１凸部４６と第２凸部４７とは周方向で連続した凸部４５を構成している。このため、凸部４５において、第２回転方向ｃｃｗ側に位置する部分が第１凸部４６であり、第２回転方向ｃｃｗ側に位置する部分が第２凸部４７である。従って、第１開口部４８と第２開口部４９との間（凸部４５が形成されている部分）では、周壁４４とインペラ６０の外周部分との間隔が狭い。
【００３２】
ここで、第１吐出管８の軸線Ｌ１方向からみたとき、第１凸部４６の第２回転方向ｃｃｗ側の端部４６１の少なくとも一部が第１吐出管８の内周面８０の最も第１回転方向ｃｗ側に位置する部分より第２回転方向ｃｃｗ側に位置している。
【００３３】
より具体的には、まず、第１吐出管８が円筒状である。このため、第１吐出管８の内部は断面円形であり、第１吐出管８の内周面８０は円形である。従って、第１吐出管８の軸線Ｌ１方向からみたとき、第１吐出管８の内周面８０のうち、最も第１回転方向ｃｗ側に位置する部分は、第１吐出管８の軸線Ｌ１およびモータ軸線Ｌ０に直交する方向の直径部分の第１回転方向ｃｗ側の部分８０１である。
【００３４】
一方、第１吐出管８の軸線Ｌ１方向からみたとき、第１凸部４６の端部４６１は、第１吐出管８の内周面８０に沿って湾曲した円弧形状を有しており、端部４６１は、第１吐出管８の内周面８０と重なっている。このため、第１吐出管８の軸線Ｌ１方向からみたとき、第１開口部４８の開口縁は、第１凸部４６の端部４６１と重なっている。また、第１凸部４６の端部４６１において、モータ軸線Ｌ０方向の両側に位置する部分４６１ａ、４６１ｂは、第１吐出管８の内周面８０のうち、最も第１回転方向ｃｗ側に位置する部分８０１より第２回転方向ｃｃｗ側に位置する。本形態において、第１凸部４６の端部４６１において、モータ軸線Ｌ０方向の両側に位置する部分４６１ａ、４６１ｂのうち、吸込み口４０側に位置する部分４６１ｂは、吸込み口４０とは反対側に位置する部分４６１ａより第２回転方向ｃｃｗ側に位置する。
【００３５】
また、第２吐出管９の軸線Ｌ２方向からみたとき、第２凸部４７の第１回転方向ｃｗ側の端部４７１の少なくとも一部が第２吐出管９の内周面９０の最も第２回転方向ｃｃｗ側
に位置する部分より第１回転方向ｃｗ側に位置している。
【００３６】
より具体的には、まず、第２吐出管９が円筒状である。このため、第２吐出管９の内部は断面円形であり、第２吐出管９の内周面９０は円形である。従って、第２吐出管９の軸線Ｌ２方向からみたとき、第２吐出管９の内周面９０のうち、最も第２回転方向ｃｃｗ側に位置する部分は、第２吐出管９の軸線Ｌ２およびモータ軸線Ｌ０に直交する方向の直径部分の第２回転方向ｃｃｗ側の部分９０１である。
【００３７】
一方、第２吐出管９の軸線Ｌ２方向からみたとき、第２凸部４７の端部４７１は、第２吐出管９の内周面９０に沿って湾曲した円弧形状を有しており、端部４７１は、第２吐出管９の内周面９０と重なっている。このため、第２吐出管９の軸線Ｌ２方向からみたとき、第２開口部４９の開口縁は、第２凸部４７の端部４７１と重なっている。また、第２凸部４７の端部４７１において、モータ軸線Ｌ０方向の両側に位置する部分４７１ａ、４７１ｂは、第２吐出管９の内周面９０のうち、最も第２回転方向ｃｃｗ側に位置する部分９０１より第１回転方向ｃｗ側に位置する。本形態において、第２凸部４７の端部４７１において、モータ軸線Ｌ０方向の両側に位置する部分４７１ａ、４７１ｂのうち、吸込み口４０側に位置する部分４７１ｂは、吸込み口４０とは反対側に位置する部分４７１ａより第２回転方向ｃｃｗ側に位置する。
【００３８】
従って、図５（ｅ）からわかるように、凸部４５全体でみたとき、吸込み口４０側に位置する部分４５ｂの直線的な長さは、吸込み口４０とは反対側に位置する部分４５ａの直線的な長さより長い。それでも、凸部４５において、吸込み口４０とは反対側に位置する部分４５ａの直線的な長さＬａは、第１吐出管８の内周面８０と第２吐出管９の内周面９０との間隔Ｌｂ（第１開口部４８と第２開口部４９との間隔）より長い。なお、本形態では、周壁４４の内径Ｌｃ（直径）、凸部４５において吸込み口４０とは反対側に位置する部分４５ａの長さＬａ、および第１吐出管８の内周面８０と第２吐出管９の内周面９０との間隔Ｌｂ（第１開口部４８と第２開口部４９との間隔）は、以下の関係
Ｌｂ  ＜  Ｌｃ／３  ＜  Ｌａ
を満たすように設定されている。
【００３９】
（本形態の主な効果）
以上説明したように、本形態のポンプ装置１においては、ポンプケース２の第２ケース４の周壁４４には、第１吐出管８が連通する第１開口部４８と第２吐出管９が連通する第２開口部４９との間には凸部４５（第１凸部４６および第２凸部４７）が設けられている。このため、インペラ６０を第１回転方向ｃｗに回転させて第１吐出管８から流体を吐出する際、第２吐出管９から流体が漏れにくく、インペラ６０を第２回転方向ｃｃｗに回転させて第２吐出管９から流体を吐出する際、第１吐出管８から流体が漏れにくい。
【００４０】
また、第１吐出管８の軸線Ｌ１方向からみたとき、第１凸部４６の第２回転方向ｃｃｗ側の端部４６１の少なくとも一部が第１吐出管８の内周面８０の最も第１回転方向ｃｗ側に位置する部分より第２回転方向ｃｃｗ側に位置する。このため、周壁４４において、第１凸部４６に起因する段部と第１開口部４８とに挟まれた領域が狭いか、あるいはかかる領域が存在しない。本形態では、第１吐出管８の軸線Ｌ１方向からみたとき、第１凸部４６の端部４６１は、第１吐出管８の内周面８０と重なっているため、第１吐出管８の軸線Ｌ１方向からみたとき、第１開口部４８の開口縁は、第１凸部４６の端部４６１と重なっている。従って、周壁４４において、第１凸部４６に起因する段部と第１開口部４８とに挟まれた領域が存在しない。それ故、インペラ６０が第１回転方向ｃｗに回転した際、第１凸部４６に起因する段部に当たった流体がスムーズに第１吐出管８の方に流れるので、第１凸部４６に起因する段部によって流体が滞留するという事態が発生しにくい。よって、流体として洗浄に用いた水を第１吐出管８から吐出する際、洗浄水に含まれている異物
がスムーズに第１吐出管８の方に流れるので、第１凸部４６に起因する段部に異物が溜まることを抑制することができる。また、第１凸部４６に起因する段部に溜まった異物によってインペラ６０の回転が阻害されるという事態も発生しにくい。
【００４１】
また、第２吐出管９の側でも、基本的には、第１吐出管８と同様な構成になっており、周壁４４には、第２凸部４７に起因する段部と第２開口部４９とに挟まれた領域が存在しない。それ故、インペラ６０が第２回転方向ｃｃｗに回転した際、第２凸部４７に起因する段部に当たった流体がスムーズに第２吐出管９の方に流れるので、第２凸部４７に起因する段部によって流体が滞留するという事態が発生しにくい。よって、流体として洗浄に用いた水を第２吐出管９から吐出する際、洗浄水に含まれている異物がスムーズに第２吐出管９の方に流れるので、第２凸部４７に起因する段部に異物が溜まることを抑制することができる。また、第２凸部４７に起因する段部に溜まった異物によってインペラ６０の回転が阻害されるという事態も発生しにくい。
【００４２】
また、本形態では、第１吐出管８および第２吐出管９が平行に並列し、かつ、第１吐出管８および第２吐出管９は円筒状である。このため、第１吐出管８および第２吐出管９に対するゴムホースの接続等の配管作業が容易である。また、第１吐出管８および第２吐出管９が平行に並列し、かつ、第１凸部４６と第２凸部４７とを周方向で連続した凸部４５として構成してある。従って、ポンプケース２の第２ケース４を金型成形する際、金型の構成を簡素化することができる。
【００４３】
また、ポンプケース２の第２ケース４は、第１吐出管８および第２吐出管９が上向きとなるように配置されている。従って、インペラ６０を第１回転方向ｃｗに回転させて第１吐出管８から流体を吐出する際、重力の影響で第２吐出管９から流体が漏れにくく、インペラ６０を第２回転方向ｃｃｗに回転させて第２吐出管９から流体を吐出する際、重力の影響で第１吐出管８から流体が漏れにくい。
【００４４】
［参考例］
上記実施の形態１では、第１吐出管８の軸線Ｌ１方向からみたとき、第１凸部４６の端部４６１は、第１吐出管８の内周面８０と重なっていたが、第１凸部４６の端部４６１が第１吐出管８の内周面８０より第２回転方向ｃｃｗ側に位置している構成であってもよい。同様に、第２凸部４７の端部４７１が第２吐出管９の内周面９０より第１回転方向ｃｗ側に位置している構成であってもよい。
【００４５】
また、第１吐出管８の軸線Ｌ１方向からみたとき、第１凸部４６の第２回転方向ｃｃｗ側の端部４６１の少なくとも一部が第１吐出管８の内周面８０の最も第１回転方向ｃｗ側に位置する部分より第２回転方向ｃｃｗ側に位置する構成であれば、第１凸部４６の端部４６１が第１吐出管８の内周面８０より第１回転方向ｃｗ側に位置している構成であってもよい。同様に、第２吐出管９の軸線Ｌ２方向からみたとき、第２凸部４７の第１回転方向ｃｗ側の端部４７１の少なくとも一部が第２吐出管９の内周面９０の最も第２回転方向ｃｃｗ側に位置する部分より第１回転方向ｃｗ側に位置する構成であれば、第２凸部４７の端部４７１が第２吐出管９の内周面９０より第２回転方向ｃｃｗ側に位置している構成であってもよい。
【００４６】
［実施の形態２］
図６は、本発明の実施の形態２に係るポンプ装置１に用いた第２ケース４の説明図であり、図６（ａ）、（ｂ）、（ｃ）、（ｄ）、（ｅ）は、第２ケース４を吸込み口４０とは反対側からみた背面図、第２ケース４を第１吐出管８の延在方向からみた平面図、第２ケース４を第１吐出管８側に傾けてみた斜視図、図６（ｂ）のＡ２−Ａ２′線で第２ケース４を切断したときの断面図、および図６（ａ）のＢ２−Ｂ２′線で第２ケース４を切断し
たときの断面図である。なお、本形態の基本的な構成は、実施の形態１と同様であるため、共通する部分には同一の符号を付して図示し、それらの説明を省略する。
【００４７】
図６に示すように、本形態のポンプ装置１に用いた第２ケース４にも、実施の形態１と同様、第１吐出管８および第２吐出管９が平行に並列して設けられており、第１吐出管８および第２吐出管９はいずれも重力方向の上方に向かって突出している。また、第２ケース４では、周壁４４に形成された第１開口部４８に第１吐出管８が連通し、周壁４４において第１開口部４８に対して第１回転方向ｃｗで離間する位置で開口する第２開口部４９に第２吐出管９が連通している。本形態において、第１吐出管８および第２吐出管９はいずれも円筒状であるが、外径および内径が相違している。本形態において、第１吐出管８は、第２吐出管９より外径および内径が小である。
【００４８】
また、周壁４４において、第１開口部４８の第１回転方向ｃｗ側には、径方向内側に突出する第１凸部４６が形成され、第２開口部４９の第２回転方向ｃｃｗ側には、径方向内側に突出する第２凸部４７が設けられている。本形態において、第１凸部４６と第２凸部４７とは周方向で連続した凸部４５を構成している。このため、凸部４５において、第２回転方向ｃｃｗ側に位置する部分が第１凸部４６であり、第２回転方向ｃｃｗ側に位置する部分が第２凸部４７である。
【００４９】
ここで、第１吐出管８の軸線Ｌ１方向からみたとき、第１凸部４６の第２回転方向ｃｃｗ側の端部４６２の少なくとも一部が第１吐出管８の内周面８０の最も第１回転方向ｃｗ側に位置する部分より第２回転方向ｃｃｗ側に位置している。本形態では、第１吐出管８の軸線Ｌ１方向からみたとき、第１凸部４６の第２回転方向ｃｃｗ側の端部４６２の全体が第１吐出管８の内周面８０の最も第１回転方向ｃｗ側に位置する部分より第２回転方向ｃｃｗ側に位置している。
【００５０】
より具体的には、まず、第１吐出管８が円筒状である。このため、第１吐出管８の内部は断面円形であり、第１吐出管８の内周面８０は円形である。従って、第１吐出管８の軸線Ｌ１方向からみたとき、第１吐出管８の内周面８０のうち、最も第１回転方向ｃｗ側に位置する部分は、第１吐出管８の軸線Ｌ１およびモータ軸線Ｌ０に直交する方向の直径部分の第１回転方向ｃｗ側の部分８０１である。
【００５１】
一方、第１吐出管８の軸線Ｌ１方向からみたとき、第１凸部４６の端部４６２は、第１吐出管８の内周面８０のうち、最も第１回転方向ｃｗ側に位置する部分８０１より第２回転方向ｃｃｗ側でモータ軸線Ｌ０と平行に直線状に延在している。また、第１凸部４６の端部４６２は、第１吐出管８の内周面８０のうち、第１回転方向ｃｗ側に位置する所定角度範囲の部分より第２回転方向ｃｃｗ側でモータ軸線Ｌ０と平行に直線状に延在している。本形態において、第１凸部４６の端部４６２において、モータ軸線Ｌ０方向の両側に位置する部分４６２ａ、４６２ｂは、周方向において同一の位置にある。
【００５２】
また、第２吐出管９の軸線Ｌ２方向からみたとき、第２凸部４７の第１回転方向ｃｗ側の端部４７２の少なくとも一部が第２吐出管９の内周面９０の最も第２回転方向ｃｃｗ側に位置する部分より第１回転方向ｃｗ側に位置している。本形態では、第２吐出管９の軸線Ｌ２方向からみたとき、第２凸部４７の第１回転方向ｃｗ側の端部４７２の全体が第２吐出管９の内周面９０の最も第２回転方向ｃｃｗ側に位置する部分より第１回転方向ｃｗ側に位置している。
【００５３】
より具体的には、まず、第２吐出管９が円筒状である。このため、第２吐出管９の内部は断面円形であり、第２吐出管９の内周面９０は円形である。従って、第２吐出管９の軸線Ｌ２方向からみたとき、第２吐出管９の内周面９０のうち、最も第２回転方向ｃｃｗ側
に位置する部分は、第２吐出管９の軸線Ｌ２およびモータ軸線Ｌ０に直交する方向の直径部分の第２回転方向ｃｃｗ側の部分９０１である。
【００５４】
一方、第２吐出管９の軸線Ｌ２方向からみたとき、第２凸部４７の端部４７２は、第２吐出管９の内周面９０のうち、最も第２回転方向ｃｃｗ側に位置する部分９０１より第１回転方向ｃｗ側でモータ軸線Ｌ０と平行に直線状に延在している。また、第２凸部４７の端部４７２は、第２吐出管９の内周面９０のうち、第２回転方向ｃｃｗ側に位置する所定角度範囲の部分より第１回転方向ｃｗ側でモータ軸線Ｌ０と平行に直線状に延在している。本形態において、第２凸部４７の端部４７２において、モータ軸線Ｌ０方向の両側に位置する部分４７２ａ、４７２ｂは、周方向において同一の位置にある。
【００５５】
従って、図６（ｅ）からわかるように、凸部４５全体でみたとき、吸込み口４０側に位置する部分４５ｂの直線的な長さは、吸込み口４０とは反対側に位置する部分４５ａの直線的な長さと等しい。また、凸部４５の直線的な長さＬａは、第１吐出管８の内周面８０と第２吐出管９の内周面９０との間隔Ｌｂ（第１開口部４８と第２開口部４９との間隔）より長い。なお、本形態では、周壁４４の内径Ｌｃ（直径）、凸部４５の長さＬａ、および第１吐出管８の内周面８０と第２吐出管９の内周面９０との間隔Ｌｂ（第１開口部４８と第２開口部４９との間隔）は、以下の関係
Ｌｂ  ＜  Ｌｃ／３  ＜  Ｌａ
を満たすように設定されている。
【００５６】
以上説明したように、本形態のポンプ装置１においても、実施の形態１と同様、ポンプケース２の第２ケース４の周壁４４には、第１吐出管８が連通する第１開口部４８と第２吐出管９が連通する第２開口部４９との間には凸部４５（第１凸部４６および第２凸部４７）が設けられている。このため、インペラ６０を第１回転方向ｃｗに回転させて第１吐出管８から流体を吐出する際、第２吐出管９から流体が漏れにくく、インペラ６０を第２回転方向ｃｃｗに回転させて第２吐出管９から流体を吐出する際、第１吐出管８から流体が漏れにくい。
【００５７】
また、第１吐出管８の軸線Ｌ１方向からみたとき、第１凸部４６の第２回転方向ｃｃｗ側の端部４６２の全体が第１吐出管８の内周面８０の最も第１回転方向ｃｗ側に位置する部分より第２回転方向ｃｃｗ側に位置する。このため、周壁４４において、第１凸部４６に起因する段部と第１開口部４８とに挟まれた領域が存在しない。それ故、インペラ６０が第１回転方向ｃｗに回転した際、第１凸部４６に起因する段部に当たった流体がスムーズに第１吐出管８の方に流れるので、第１凸部４６に起因する段部によって流体が滞留するという事態が発生しにくい。よって、流体として洗浄に用いた水を第１吐出管８から吐出する際、洗浄水に含まれている異物がスムーズに第１吐出管８の方に流れるので、第１凸部４６に起因する段部に異物が溜まることを抑制することができる等、実施の形態１と同様な効果を奏する。
【００５８】
また、第２吐出管９の側でも、基本的には、第１吐出管８と同様な構成になっており、周壁４４には、第２凸部４７に起因する段部と第２開口部４９とに挟まれた領域が存在しない。それ故、インペラ６０が第２回転方向ｃｃｗに回転した際、第２凸部４７に起因する段部に当たった流体がスムーズに第２吐出管９の方に流れるので、第２凸部４７に起因する段部によって流体が滞留するという事態が発生しにくい。よって、流体として洗浄に用いた水を第２吐出管９から吐出する際、洗浄水に含まれている異物がスムーズに第２吐出管９の方に流れるので、第２凸部４７に起因する段部に異物が溜まることを抑制することができる等、実施の形態１と同様な効果を奏する。
【００５９】
［他の形態］
上記実施の形態では、第１凸部４６および第２凸部４７で基本的な構成が同一であったが、一方側の凸部のみにおいて、凸部の端部が吐出管の内周面より張り出している構成であってもよい。
【符号の説明】
【００６０】
１  ポンプ装置
２  ポンプケース
３  第１ケース
４  第２ケース
８  第１吐出管
９  第２吐出管
１０  隔壁部材
３１  ステータ
３２  回転軸
３３  ロータ
４０  吸込み口
４４  周壁
４８  第１開口部
４９  第２開口部
４５  凸部
４６  第１凸部
４７  第２凸部
６０  インペラ
８０  第１吐出管の内周面
９０  第２吐出管の内周面
１００  ポンプ部
２００  モータ部
４６１、４６２  第１凸部の端部
４７１、４７２  第２凸部の端部
８０１  第１吐出管の内周面の最も第１回転方向側に位置する部分
９０１  第２吐出管の内周面の最も第２回転方向側に位置する部分
【図１】
0006371647.tif 000002
【図２】
0006371647.tif 000003
【図３】
0006371647.tif 000004
【図４】
0006371647.tif 000005
【図５】
0006371647.tif 000006
【図６】
0006371647.tif 000007